(57)【要約】【課題】  一般的なタイプのチェーンロックの場合を考慮して、ロックの荷重下に生じる力と応力の最適な分配により、静及び動的応力の増加を達成すること。【解決手段】  ロックを開き及び閉じるためにロックの縦方向に互いに対して僅かな量を変位することができる二つのロック部分を有し、各ロック部分において、該ロック部分は、縦のウエッブを介して互いに結合する二つの端部を有し、その一方がスタッドを形成し、その周囲の部分を越えて延びる保持ウエッブを有しており、他方がスタッドを受ける役割をし、保持ウエッブ用保持グルーブを有する凹部を備えてなるリンクチェーン用のチェーンロックであって、スタッド（５）と凹部（６）の高さ（Ｈ）が実質的にロックの内側幅（ｂｉ）に等しく、及びスタッド（５）が複数の保持ウエッブ（７、８）を有し、かつ凹部（６）が複数の保持グルーブ（１３、１４）を有することを特徴とするチェーンロック。
2006525474.tif 000002
【特許請求の範囲】
【請求項１】
ロックを開き及び閉じるためにロックの縦方向に互いに対して僅かな量を変位することができる二つのロック部分を有し、各ロック部分において、該ロック部分は、縦のウエッブを介して互いに結合する二つの端部を有し、その一方がスタッドを形成し、その周囲の部分を越えて延びる保持ウエッブを有しており、他方が、スタッドを受ける役割をする、保持ウエッブ用保持グルーブを有する凹部を備えてなるリンクチェーン用のチェーンロックであって、
スタッド（５）と凹部（６）の高さ（Ｈ）が実質的にロックの内側幅（ｂｉ）に等しく、及びスタッド（５）が複数の保持ウエッブ（７、８）を有し、かつ凹部（６）が複数の保持グルーブ（１３、１４）を有することを特徴とするチェーンロック。
【請求項２】
複数の保持ウエッブ（７、８）間及び複数の保持グルーブ（１３、１４）間の距離（各々、ａ及びａ’）が、それぞれ複数の保持ウエッブ（７、８）と複数の保持グルーブ（１３、１４）の幅（各々、ｂｓ及びｂｎ）と等しいことを特徴とする請求項１に記載のチェーンロック。
【請求項３】
複数の保持ウエッブ（７、８）間及び複数の保持グルーブ（１３、１４）間の距離（各々、ａ及びａ’）が、それぞれ複数の保持ウエッブ（７、８）及び複数の保持グルーブ（１３、１４）の幅（各々、ｂｓ及びｂｎ）より大きいことを特徴とする請求項１に記載のチェーンロック。
【請求項４】
スタッド（５）が二つの保持ウエッブ（７、８）を有し、凹部（６）が二つの保持グルーブ（１３、１４）を有することを特徴とする請求項１〜３のいずれかの項に記載のチェーンロック。
【請求項５】
スタッド（５）と凹部（６）が各々、固定要素を受ける役割をする横穴（１１、１６）を備えており、また力の伝達用に使用されることを特徴とする請求項１〜３のいずれかの項に記載のチェーンロック。
【請求項６】
スタッド（５）と凹部（６）が、ロックの縦方向に連続的に広がる又は延びる断面を有していることを特徴とする請求項１〜５のいずれかの項に記載のチェーンロック。
【請求項７】
複数の保持ウエッブ（７、８）の複数の側面が、楔形デザインで、該保持ウエッブ（７、８）の側面に面する複数の保持グルーブ（１３、１４）のそれらの複数の側壁部分が楔形角度（α）に対応した傾斜を有することを特徴とする請求項６に記載のチェーンロック。
【請求項８】
各ロック部分においてスタッド（５）の複数の側面及び凹部（６）の複数の側壁が１０〜３０°の角度を有していることを特徴とする請求項１〜７のいずれかの項に記載のチェーンロック。
【請求項９】
実質的に遊びなしで複数の保持ウエッブ（７、８）を受ける、複数の保持グルーブ（１３、１４）の深さ（ｔｎ）が、２〜６ｍｍであることを特徴とする請求項１〜８のいずれかの項に記載のチェーンロック。
【請求項１０】
複数の保持ウエッブ（７、８）の高さ（ｈｓ）が約２〜６ｍｍであることを特徴とする請求項１〜９のいずれかの項に記載のチェーンロック。
【発明の詳細な説明】
【技術分野】
【０００１】
本発明は、リンクチェーン用のチェーンロックに関する。チェーンロックは、ロック（錠）を開き及び閉じるためにロックの縦方向に互いに対して僅かな量を変位することができる二つのロック部分を有し、各ロック部分においてロック部分は、縦のウエッブを介して互いに結合する二つの端部を有し、各ロック部分のその一方の端部はスタッドを形成し、該スタッドは、その周囲の部分を越えて延びる保持ウエッブを有する。各ロック部分の他方の端部は、スタッドを受ける役割をし、保持ウエッブ用の保持グルーブを有する凹部を備えている。
【背景技術】
【０００２】
上記タイプのチェーンロックは下記特許文献１に開示されている。公知のチェーンロックの場合、保持スタッドは、例えば、下記特許文献２により知られた他の類似する公知のチェーンロックの場合のように、独特の保持ウエッブと該ウエッブにあてがわれる独特の保持グルーブを備えており、該保持ウエッブの支持表面、該支持表面は横の力を伝達する役割をするが、及び保持グルーブの対応表面は、該対応表面は支持表面と相互作用をするが、ロックの縦の中心面に実質的に位置している。実際に示されるように、静的及び動的荷重を上昇させるにつれて、保持ウエッブは最大量のストレスがかかるチェーンロックの部分である。
【特許文献１】ドイツ特許第１９９１４０１４号明細書
【特許文献２】ドイツ特許第２３５４０２８号明細書
【０００３】
このような状況を考慮して、下記特許文献３には、傾斜した方法で保持ウエッブ及び保持グルーブを設計し、それにより、保持スタッドの断面の増加を図ることが提案されている。しかしながら、下記特許文献４の示唆に続いて、たとえ結合点が、−それ自体固定的であるが−、ストレスの局所的な分布がよりバランスされる断面に対して、チェーンリング端部の領域に配置されていてさえも、この方法では顕著な強度の改良は達成されない。
【特許文献３】ドイツ特許第２６３８４４３号明細書
【特許文献４】ドイツ実用新案登録７７０５１７９号明細書
【０００４】
実現が不可能な場合に成功が求められるのは、保持ウエッブと保持グルーブの傾斜した位置により、ロックの内側方向に向いた保持ウエッブのその端部によって吸収される一部の引張力が上述した領域で保持ウエッブの破裂に導くような値になるという事実が判明されたからである。
【発明の開示】
【発明が解決しようとする課題】
【０００５】
本発明の課題は、一般的なタイプのチェーンロックの場合を考慮して、ロックの荷重下に生じる力と応力の最適な分配により、静及び動的応力の増加を達成することである。
【課題を解決するための手段】
【０００６】
課された目的は、スタッドと凹部の高さがロックの内側幅と実質的に等しく、かつスタッドが複数の保持ウエッブを有し、凹部が複数の保持グルーブを有すると言う事実により本願発明は達成される。
【発明の効果】
【０００７】
スタッド及び凹部の多段式デザイン及び公知の構成に比べてスタット及び凹部のより大きな高さの選択により、応力がバランスよく、有利に配分され、かつ特にロック部分の結合領域における横の力がバランスよく、有利に配分されるため、その結果、求める強度の増加が達成される。
【発明を実施するための最良の形態】
【０００８】
ロック部分１は、図１〜４に示されており、二つの端部３及び４を有し、これらは、縦のリム２を介して結合されており、その端部３はスタッド５を備え、端部４はスタッド５を受けるために凹部６を備えている。スタッド５は、二つの保持ウエッブ７及び８を備え、該ウエッブはスタッド５の首形部分９及び１０の上に約２〜６ｍｍの全長を超えて突出している。スタッド５の高さＨは、合わせるチェーンロック（参考、図２及び７）の内側幅ｂｉに実質的に対応している。ただ二つの保持ウエッブ７及び８を有するスタッド５の使用は、特に経済的な理由から、小、中間のロックサイズの場合に特に便利であることがわかる。
【０００９】
保持ウエッブ７と８間の距離は保持ウエッブ７、８の幅ｂｓより大きい。保持ウエッブ７、８間の距離が比較的大きいので、固定ピン（図示せず）を受けるための横穴１１を設けるために十分なスペースである。荷重下では破断の最も大きなリスクのある保持ウエッブ７、８のそれらのカーブした部分は、縦方向の中心面１２の外側に位置する領域、即ち、保持ウエッブ７、８に作用する横の力が縦の中心面内より低い区域に位置している。
【００１０】
第２のロック部分１のスタッド５を受ける役割の凹部６は、保持グルーブ１３、１４を有しており、該グルーブの幅ｂｎは保持ウエッブ７、８の幅ｂｓに実質的に対応している。即ち、保持グルーブ１３、１４間の距離ａ’と同じ方法でｂｎが幅ｂｓ又はその距離ａより僅かに大きいだけであり、その結果、チェーンロックが合わさった状態では、スタッドと凹部間で実質的に自由に動く結合をとることができる。凹部６の部分１５の領域では、横穴１６が設けられており、該穴は、ロックの合わさった状態では、凹部６に導入されるスタッド５の横穴１１と一直線である。
【００１１】
スタッド５と凹部６の両方は断面を有し、それは、ロック部分１の内側方向に広げられている。図４から明らかなように、スタッド５の側面と凹部６の内側壁は、それら間の角度αで囲っている。この角度αは、好ましくは１０〜３０°であるが、それより小さくても良い。スタッド５の楔形デザイン及び凹部６の対応形状は、この点から有利であることがわかる。それは、比較的長い期間の使用及び一般にこのことから生じる摩擦による腐食の形成後、ロックの解除がより容易になるからである。即ち、それらを互いに分離するには、ロック部分の一つに対してハンマーの比較的軽い一撃で十分であるからである。
【００１２】
楔形はまた更に実際的な効果を有し、それは、図５及び６に説明されている。図５は、二つの等しいロック部分が、スタッド５の側面と凹部６の内側壁が互いに平行に動くと、それらが矢印１７、１８の方向で共に結合する過程が想定される位置にあることを示している。これに対して、図６に見られる状態では、ロック部分はスタッド５及び凹部６の楔形デザインのために矢印１７、１８の方向に互いに結合が可能である。スタッド５の側面と凹部６の側壁との楔形デザインによって、図５における寸法ｌ１は、ｌ２の値に増加することができる。この増加によって、実際にロックの組立てがかなり容易になる。
【図面の簡単な説明】
【００１３】
【図１】二つの同じロック部分の一方の斜視図を示す。
【図２】図１のロック部分を横から見た図を示し、部分的に断面図で示す。
【図３】図２のIII−III線に沿った断面図を示す。
【図４】図２のロック部分の平面図を示す。
【図５】二つのロック部分が第１の位置にあることを示す。
【図６】図５のロック部分が第２の位置にあることふぉを示す。
【図７】図５のロック部分がそれらの端部位置にあることを示す。
【符号の説明】
【００１４】
１  ロック部分
２  縦のリム
３、４  ロック部分の端部
５  スタッド
６  凹部
７、８  保持ウエッブ
９、１０  首形状部分
１１、１６  横穴
１２  縦の中心面
１３、１４  保持グルーブ
１５  凹部の部分
【図１】
2006525474.tif 000003
【図２】
2006525474.tif 000004
【図３】
2006525474.tif 000005
【図４】
2006525474.tif 000006
【図５】
2006525474.tif 000007
2006525474.tif 000008
【手続補正書】
【提出日】平成17年2月25日(2005.2.25)
【手続補正１】
【補正対象書類名】特許請求の範囲
【補正対象項目名】全文
【補正方法】変更
【補正の内容】
【特許請求の範囲】
【請求項１】
ロックを開き及び閉じるためにロックの縦方向に互いに対して僅かな量を変位することができる二つのロック部分（１）を有し、各ロック部分において、該ロック部分は、縦のウエッブ（２）を介して互いに結合する二つの端部を有し、その一方がスタッドの周囲の部分を越えて延びる保持ウエッブ（７）を有するスタッド（５）を形成し、他方が、スタッド（５）を受ける役割をし、保持ウエッブ（７）用保持グルーブ（１３）を有する凹部（６）を備えてなるリンクチェーン用のチェーンロックであって、
スタッド（５）と凹部（６）の高さ（Ｈ）がロックの内側幅（ｂｉ）に等しく、及びスタッド（５）が上下に配置された複数の保持ウエッブ（７、８）を有し、かつ凹部（６）が上下に配置された複数の保持グルーブ（１３、１４）を有することを特徴とするチェーンロック。
【請求項２】
複数の保持ウエッブ（７、８）間及び複数の保持グルーブ（１３、１４）間の距離（各々、ａ及びａ’）が、それぞれ複数の保持ウエッブ（７、８）と複数の保持グルーブ（１３、１４）の幅（各々、ｂｓ及びｂｎ）と等しいことを特徴とする請求項１に記載のチェーンロック。
【請求項３】
複数の保持ウエッブ（７、８）間及び複数の保持グルーブ（１３、１４）間の距離（各々、ａ及びａ’）が、それぞれ複数の保持ウエッブ（７、８）及び複数の保持グルーブ（１３、１４）の幅（各々、ｂｓ及びｂｎ）より大きいことを特徴とする請求項１に記載のチェーンロック。
【請求項４】
スタッド（５）が二つの保持ウエッブ（７、８）を有し、凹部（６）が、二つの保持グルーブ（１３、１４）を有することを特徴とする請求項１〜３のいずれかの項に記載のチェーンロック。
【請求項５】
スタッド（５）と凹部（６）が各々、固定要素を受ける役割をする横穴（１１、１６）を備えており、また力の伝達用に使用されることを特徴とする請求項１〜３のいずれかの項に記載のチェーンロック。
【請求項６】
スタッド（５）と凹部（６）が、ロックの縦方向に連続的に広がる又は延びる断面を有していることを特徴とする請求項１〜５のいずれかの項に記載のチェーンロック。
【請求項７】
複数の保持ウエッブ（７、８）の複数の側面が、楔形デザインで、該保持ウエッブ（７、８）の側面に面する複数の保持グルーブ（１３、１４）のそれらの複数の側壁部分が楔形角度（α）に対応した傾斜を有することを特徴とする請求項６に記載のチェーンロック。
【請求項８】
各ロック部分においてスタッド（５）の複数の側面及び凹部（６）の複数の側壁が１０〜３０°の角度を有していることを特徴とする請求項１〜７のいずれかの項に記載のチェーンロック。
【請求項９】
実質的に遊びなしで複数の保持ウエッブ（７、８）を受ける、複数の保持グルーブ（１３、１４）の深さ（ｔｎ）が、２〜６ｍｍであることを特徴とする請求項１〜８のいずれかの項に記載のチェーンロック。
【請求項１０】
複数の保持ウエッブ（７、８）の高さ（ｈｓ）が約２〜６ｍｍであることを特徴とする請求項１〜９のいずれかの項に記載のチェーンロック。
【請求項１１】
ロックを開き及び閉じるためにロックの縦方向に互いに対して僅かな量を変位することができる二つのロック部分（１）を有し、各ロック部分において、該ロック部分は、縦のウエッブ（２）を介して互いに結合する二つの端部を有し、その一方がスタッドの周囲の部分を越えて延びる保持ウエッブ（７）を有するスタッド（５）を形成し、他方が、スタッド（５）を受ける役割をし、保持ウエッブ（７）用保持グルーブ（１３）を有する凹部（６）を備えてなるリンクチェーン用のチェーンロックであって、
スタッド（５）が上下に配置された複数の保持ウエッブ（７、８）を有し、かつ凹部（６）が上下に配置された複数の保持グルーブ（１３、１４）を有することを特徴とするチェーンロック。
【手続補正２】
【補正対象書類名】明細書
【補正対象項目名】０００２
【補正方法】変更
【補正の内容】
【０００２】
上記タイプのチェーンロックは下記特許文献１に開示されている。公知のチェーンロックの場合、保持スタッドは、独特の保持ウエッブと該ウエッブにあてがわれる独特の保持グルーブを備えており、該保持ウエッブの支持表面、該支持表面は横の力を伝達する役割をするが、及び保持グルーブの対応表面は、該対応表面は支持表面と相互作用をするが、ロックの縦の中心面に平行に走っており、その中心面に対して僅かに相殺している。実際に示されるように、静的及び動的荷重を上昇させるにつれて、保持ウエッブは最大量のストレスがかかるチェーンロックの部分である。
【特許文献１】ドイツ特許第２３５４０２８号明細書
【手続補正３】
【補正対象書類名】明細書
【補正対象項目名】０００３
【補正方法】変更
【補正の内容】
【０００３】
このような状況を考慮して、下記特許文献２には、傾斜した方法で保持ウエッブ及び保持グルーブを設計し、それにより、保持スタッドの断面の増加を達成することが提案されている。しかしながら、下記特許文献３の示唆に続いて、たとえ結合点が、−それ自体固定的であるが−、ストレスの分布が比較的バランスされるロック部分の端部の領域に配置されていても、この方法では顕著な強度の改良は達成されない。
【特許文献２】ドイツ特許第２６３８４４３号明細書
【特許文献３】ドイツ実用新案登録７７０５１７９号明細書
【手続補正４】
【補正対象書類名】明細書
【補正対象項目名】０００４
【補正方法】変更
【補正の内容】
【０００４】
実現が不可能な場合の静的及び動的強度の改良に関する成功が求められるのは、保持ウエッブと保持グルーブの傾斜した位置により、ロックの内側方向に向いた保持ウエッブのその端部によって吸収されるべき一部の引張力が、上述した領域で保持ウエッブの破裂に導くような値になるという事実が最後に述べた場合に判明されたからである。
加えて、チェーンロックの縦のウエッブの領域においてこの領域では抑制効果が生じないように意図された手段を設けたチェーンロックが知られている。下記特許文献４及び下記特許文献５により知られるチェーンロックの場合では、それらの手段はロックの内側に突出し、かつ互いに直接か、又は補助要素の相互接続のいずれかで支持される支持要素により形成されている。下記特許文献４のチェーンロックの場合では、支持要素は補助的にそれら自身の奥で係合してチェーンロックの横の強度が図られている。下記特許文献６より知られるチェーンロックの場合でも類似の効果が求められており、このチェーンロックは、二つのＣ型ロック部分を含み、該ロック部分は、チェーンロックの枠の領域に配置された各スタッド／凹部のペアに加えて、更にチェーンロックの縦のウエッブの中心領域にスタッド／凹部ペアを備えている。補助的な中心の支持手段は製造上の経費のかなりの増大を要し、またロックの中心に採用される手段がチェーンロックの枠領域でスタッドの各単一の保持ウエッブに作用するストレスの持続的な減少を導かない限りは、最後に説明した三つの全てのチェーンロックは、十分に満足できない。
【特許文献４】ドイツ実用新案登録２９８１１３３２号明細書
【特許文献５】ドイツ特許第１９９１４０１４号明細書
【特許文献６】ドイツ実用新案登録８３２０３９２号明細書
【手続補正５】
【補正対象書類名】明細書
【補正対象項目名】０００６
【補正方法】変更
【補正の内容】
【０００６】
課された目的は、スタッドと凹部の高さがロックの内側幅と実質的に等しく、及びスタッドが上下に配置された複数の保持ウエッブを有し、かつ凹部が上下に配置された複数の保持グルーブを有すると言う事実により本願発明は達成される。


【国際調査報告】
2006525474.tif 000009
2006525474.tif 000010
2006525474.tif 000011
2006525474.tif 000012